(57)【要約】【課題】開封時に袋体から切り離し片が生じることを防止して使用後のゴミ点数を低減するとともに、ゴミの分別回収を正確に行うことにより一般のゴミとともに包装袋が焼却処理される事態をなくして環境汚染と美観低下を招くことがない包装袋を提供することを目的とする。【解決手段】可撓性及び水分不透過性を有する合成樹脂フィルムでなる袋体１を扁平な筒状にして、周縁部の一片に紐状の補強部材５を焼付け又は糊付けしてから内部に被包装物を収納し、全周縁を熱圧着部２によって固着封止してから開封時の取出口として上記補強部材５と対向する位置に切込部３を形成して作製する。【選択図】図１
2005178799.tif 000002
【特許請求の範囲】
【請求項１】
合成樹脂フィルムでなる袋体の周縁部一片に補強部材を焼付け又は糊付けしてから内部に被包装物を収納し、全周縁を固着封止してから開封時の取出口として上記補強部材と対向する位置に切込部を形成して作製したことを特徴とする包装袋。
【請求項２】
可撓性及び水分不透過性を有する合成樹脂フィルムでなる袋体を扁平な筒状にして、周縁部の一片に紐状の補強部材を焼付け又は糊付けしてから内部に被包装物を収納し、全周縁を熱圧着部によって固着封止してから開封時の取出口として上記補強部材と対向する位置に切込部を形成して作製したことを特徴とする包装袋。
【請求項３】
可撓性及び水分不透過性を有する合成樹脂フィルムでなる素材の中央を重合部によって固着封止して袋体を構成し、周縁部の一片に紐状の補強部材を焼付け又は糊付けしてから内部に被包装物を収納し、上下の周縁を熱圧着部によって固着封止してから開封時の取出口として上記補強部材と対向する位置に切込部を形成して作製したことを特徴とする包装袋。
【発明の詳細な説明】
【技術分野】
【０００１】
本発明はポケットティッシュペーパーとかウエットタオルその他の被包装物を収納する包装袋に関し、特には使用時に該包装袋を開口した際に切り離し片が生じることを防止することにより、使用後のゴミ点数の減少とともにゴミの素材に応じて正確な分別回収を可能とした包装袋に関するものである。
【背景技術】
【０００２】
従来から湿式あるいは乾式のティッシュペーパーとかウエットタオル等の被包装物を水分不透過性の袋体に収納した製品が使用に供されており、ティッシュペーパー等は街頭で頒布されたりノベルティとしての利用にも供されている。これらの被包装物の包装袋は、図８に示したように可撓性及び水分不透過性の合成樹脂フィルムでなる袋体１を扁平な筒状にして内部に被包装物を収納し、周縁を熱圧着部２等によって固着封止してあり、開封時の取出口として上部の熱圧着部２ａ直下の袋体１の左右両側に三角形の切込部３，３を対向形成したものが一般的に用いられている。
【０００３】
図９は上記包装袋の他の従来例を示しており、合成樹脂フィルムを中央の重合部４と周縁の熱圧着部２等によって固着封止して構成した袋体１の内部に被包装物を収納し、開封時の取出口として袋体１の上下方向に三角形の切込部３，３を対向形成したものが一般的に用いられている。図８の包装袋の開口部が横型であるのに対して、図９の包装袋は開口部が縦型であることが特徴となっている。
【発明の開示】
【発明が解決しようとする課題】
【０００４】
しかしながら上記従来のティッシュペーパーとかウエットタオル等の包装袋は、図１０，図１１に示すように開封時に袋体１から切り離し片１ａが生じるため、使用後のゴミ点数が増加するとともにゴミの素材に応じて分別回収をすることができないという課題がある。即ち、通常袋体１には素材の表示が義務付けられているため、開封使用後の正確な分別回収と再利用が可能であるが、切り離し片１ａには素材の表示がないため、分別回収して再利用することができず、この切り離し片１ａが一般のゴミに混入して焼却処理されることにより有害なガスを発生する原因となり、公害源となってしまう問題が生じる。
【０００５】
更にポケットティッシュペーパーとかウエットタオルを屋外で使用する際に、袋体１自体はゴミ箱に入れたり持ち帰り処理することができるが、切り離し片１ａはそのまま放置されてしまうケースが多く、景勝地等における環境汚染と美観低下を招来するという問題点も生じやすい。
【０００６】
そこで本発明は上記従来の包装袋が有している課題を解決して、開封時に袋体から切り離し片が生じることを防止して使用後のゴミ点数を低減するとともに、ゴミの分別回収を正確に行うことにより一般のゴミとともに包装袋が焼却処理される事態をなくして環境汚染と街頭その他の美観低下を招くことがない包装袋を提供することを目的とするものである。
【課題を解決するための手段】
【０００７】
本発明は上記目的を達成するために、合成樹脂フィルムでなる袋体の周縁部一片に補強部材を焼付け又は糊付けしてから内部に被包装物を収納し、全周縁を固着封止してから開封時の取出口として上記補強部材と対向する位置に切込部を形成して作製した包装袋を基本構成とする。具体的には可撓性及び水分不透過性を有する合成樹脂フィルムでなる袋体を扁平な筒状にして、周縁部の一片に紐状の補強部材を焼付け又は糊付けしてから内部に被包装物を収納し、全周縁を熱圧着部によって固着封止してから開封時の取出口として上記補強部材と対向する位置に切込部を形成して作製する。また、合成樹脂フィルムでなる素材の中央を重合部によって固着封止して袋体を構成し、周縁部の一片に紐状の補強部材を焼付け又は糊付けしてから内部に被包装物を収納し、上下の周縁を熱圧着部によって固着封止してから開封時の取出口として補強部材と対向する位置に切込部を形成した包装袋の構成にしてある。
【発明の効果】
【０００８】
本発明によって得られた包装袋によれば、開封時に切込部を利用して袋体を切り裂いた際の裂け目の進行が補強部材に達した時点で停止するので、切り裂き片が袋体から離れることが防止され、使用後のゴミ点数が増加することがない上、ゴミの素材に応じて正確に分別回収をすることができる。従って切り離し片が一般のゴミとともに焼却処理されることによる有害なガス発生をなくし、包装袋が公害源となる事態は生じない。
【０００９】
更にポケットティッシュペーパーとかウエットタオル等を屋外で使用する場合でも包装袋の切り離し片がそのまま放置されることがないため、景勝地等における環境汚染と美観低下を招来する問題は生じない。
【００１０】
従って本発明によれば、開封時に袋体から切り離し片が生じることを防止して使用後のゴミ点数を低減するとともに、ゴミの分別回収が正確に行え、環境汚染と街頭その他の美観低下を招来しない包装袋が提供される。
【発明を実施するための最良の形態】
【００１１】
以下本発明にかかる包装袋の最良の実施形態を従来の構成部分と同一の構成部分に同一の符号を付して説明する。図１において１は可撓性及び水分不透過性を有する合成樹脂フィルムでなる袋体であり、該袋体１の素材としてポリプロピレン，ポリエチレン，ポリエステル及びこれらの複合材が使用可能である。この素材を扁平な筒状にして周縁部の一片に紐状の補強部材５を焼付け又は糊付けしてから内部に被包装物を収納し、全周縁を熱圧着部２，２によって固着封止し、更に開封時の取出口として上部の熱圧着部２ａ直下にあって上記補強部材５と対向する位置に三角形の切込部３を形成して製品が完成する。
【００１２】
図２は本発明にかかる包装袋の他の実施形態を示しており、合成樹脂フィルムでなる素材の中央を重合部４によって固着封止して袋体１を構成し、周縁部の一片に紐状の補強部材５を焼付け又は糊付けしてから内部に被包装物を収納し、上下の周縁を熱圧着部２，２によって固着封止し、開封時の取出口として上記補強部材５と対向する位置に三角形の切込部３を形成して製品が完成する。図１の包装袋の開口部が横型であるのに対して図２の包装袋は開口部が縦型となっている。
【００１３】
かかる包装袋によれば、開封時に使用者が切込部３を利用して袋体１を切り裂いた際に、図３，図４に示すように裂け目の進行が補強部材５に達した時点で停止するので、切り裂き片１ｂは袋体１から離れることがない。従って図１０，図１１に示した従来の袋体１のように開封時に切り離し片１ａが生じる惧れがなく、使用後のゴミ点数が増加するという事態は生じない。
【００１４】
図５〜図７は本発明にかかる包装袋を利用した製品の作製方法の一例を示しており、先ず図５に示したように袋体１の素材としての合成樹脂フィルムの中央部折れ線Ｏの一方に表印刷６を、折れ線Ｏの他方に裏印刷７を施してから周縁部の一片に紐状の補強部材５を焼付け又は糊付けし、図６に示すようにフィルムを折れ線Ｏで折り曲げて内部に被包装物を収納してから図７に示すように全周縁を熱圧着部２，２によって固着封止し、開封時の取出口として上部の熱圧着部２ａ直下で補強部材５と対向する位置に三角形の切込部３を形成して製品として完成する。
【産業上の利用可能性】
【００１５】
以上詳細に説明したように、本発明にかかる包装袋によれば、開封時に袋体から切り離し片が生じることを防止して使用後のゴミ点数が低減されるとともにゴミの分別回収が正確に行えて環境汚染と美観低下を招来しないという効果が得られるので、湿式あるいは乾式のティッシュペーパーとかウエットタオル等以外にもスーパーとかコンビニで販売に供されている各種食品とかインテリア用の小物、玩具類等の被包装物の包装袋として広く利用することができる。
【図面の簡単な説明】
【００１６】
【図１】本発明にかかる包装袋の最良の実施形態例を示す平面図。
【図２】本発明の他の実施形態例を示す平面図。
【図３】本発明にかかる包装袋の開封使用時の形態を示す平面図。
【図４】本発明の他の実施形態例における包装袋の開封使用時の形態を示す平面図。
【図５】本発明にかかる包装袋を利用した製品の作製方法の一例を示す平面図。
【図６】本発明にかかる製品の作製方法例を示す平面図。
【図７】本発明にかかる製品の作製方法例を示す平面図。
【図８】従来の包装袋の一例を示す平面図。
【図９】従来の他の包装袋の一例を示す平面図。
【図１０】従来の包装袋の開封使用時の形態を示す平面図。
【図１１】従来の他の包装袋の開封使用時の形態を示す平面図。
【符号の説明】
【００１７】
１…袋体
１ｂ…切り裂き片
２…熱圧着部
３…切込部
４…重合部
５…補強部材
【図１】
2005178799.tif 000003
【図２】
2005178799.tif 000004
【図３】
2005178799.tif 000005
【図４】
2005178799.tif 000006
【図５】
2005178799.tif 000007
【図６】
2005178799.tif 000008
【図７】
2005178799.tif 000009
【図８】
2005178799.tif 000010
【図９】
2005178799.tif 000011
【図１０】
2005178799.tif 000012
【図１１】
2005178799.tif 000013